【事件の表示】
　平成　４年特許願第３２５２９５号「カラー画像処理装置及びカラー画像処理方法」拒絶査定に対する審判事件［平成　６年　６月２４日出願公開、特開平　６−１７８０９１］について、次のとおり審決する。
【結　論】
　本件審判の請求は、成り立たない。
【理　由】
１．手続きの経緯・本願発明
　本願は、平成４年１２月４日に出願されたものであって、その請求項１〜２に係る発明は、平成１１年１２月６日付け及び平成１４年１１月２８日付けの手続補正によって補正された明細書及び図面の記載からみて、特許請求の範囲の請求項１〜２に記載されたとおりのものと認められるところ、請求項１に係る発明（以下、「本願発明」という。）は、次のとおりのものである。
　
　「【請求項１】画像を入力する入力手段と、
　前記入力手段で入力された画像を同一媒体上の複数の領域に出力する際に、前記複数の領域の画像それぞれに対して予め設定された画質に対するパラメータをユーザが所望の画質に微調して設定するための設定手段と、
　前記設定手段での設定に基づいて前記複数の領域の画像それぞれに対して画質調整を施す調整手段と、
　前記調整手段で画質調整された複数の領域の画像を同一媒体上に出力する出力手段とを有することを特徴とするカラー画像処理装置。」
　
２．引用刊行物
（引用例１）
　これに対して、原審の拒絶の理由で引用した　特開平２−４４９９３号公報（平成２年２月１４日出願公開）（以下、「引用例１」という。）には、図面と共に次の各記載がある。
　
（１のア）「［課題を解決するための手段］
　本発明は上記目的を達成するために、モニタ表示された全体画像の主要部を指定し、これらの指定された主要部を小サイズの補正駒とし、これらの補正駒の色及び濃度に対してそれぞれ異なった補正を施し、これらの補正駒を並べた状態でテストプリントし、得られたハードコピィから仕上がりが最適な補正駒の駒番号を入力することで、プリント条件を補正するものである。また、テストプリントは、各補正駒を露光用ＣＲＴに一括して表示し、この表示画面をカラー印画紙に焼付露光して行うことが好ましい。
［作用］
　全体画像が入力されると、この全体画像の主部部が指定される。指定された主要部は小サイズの補正駒として、異なった補正量で濃度及び色補正される。これら各補正駒は、画像記録デバイス、例えば露光用ＣＲＴに１画面に一括して並べて表示され、テストプリンタが行われる。このテストプリント結果により、最適な補正駒の駒番号を指定して、この補正駒の補正量を用いて、全体画像がプリントされる。このように、主要部を異なる補正量で濃度及び色補正して、これら各駒を一括してプリントするため、最適な露光条件を１度のテストプリントで決定することが可能になる。
」（第２頁上左欄第２行〜同頁上右欄第６行）
　
（１のイ）「第１のフレームメモリ２４には、エリア指定回路２５が接続されている。このエリア指定回路２５は、全体画像をモニタＣＲＴ２６に表示して主要部を指定する主要部指定モードの時に、コントローラ２７のキーボード２８を操作して、主要部を指定するための中心位置及びこれを中心とする矩形領域、即ち主要部領域を指定すると共に、指定後の後述するようなテストプリントモード及びテストプリント表示モードの時に、指定された主要部領域の濃度信号のみを読み出す。また、枠表示回路２９は、主要部指定モードの時に、指定された主要部をモニタＣＲＴ２６の表示画面上に示すための枠を表示する。なお、キーボード２８の代わりに、マウスやジョイステック等を用いて主要部領域を指定してもよい。」（第２頁下左欄第１２行〜同頁下右欄第６行）
　
（１のウ）「前記第１のフレームメモリ２４に書き込まれた濃度信号は、第１のセレクタ３０により、全体画像補正用ＬＵＴ３１または駒補正用ＬＵＴ３２に選択的に送られる。即ち、第１のセレクタ３０は、主要部指定モードの時、及び全体画像をプリントする本プリントモードの時に、フレームメモリ２４からの濃度信号を全体画像補正用ＬＵＴ３１に送り、また、指定された主要部の濃度信号を補正量をステップ的に変えて補正し、この各補正駒をモニタＣＲＴ２６に一括表示するテストプリント表示モードの時、及び前記補正駒を一括プリントするテストプリントモードの時に、フレームメモリ２４からの濃度信号を駒補正用ＬＵＴ３２に送る。補正駒のＬＵＴデータは、メモリ３３に記憶されている基準テーブルデータを一定量ずつシフトさせて読み出すことで、１画面に一括表示される補正駒数に対応したページ分だけ駒補正用ＬＵＴ３２に書き込まれる。この駒補正用ＬＵＴ３２で補正された濃度信号は、補正駒書込み回路３４により、第２のフレームメモリ３５のマトリックス状に区画された所定エリアに順次書き込まれる。この書込み時に、各エリアを識別するための駒番号も順次所定エリアの例えば右上角部に書き込まれる。
（中略）
これら各処理部１８〜２０からの濃度信号は、第２のセレクタ３７により切り換えられて、露光用ＣＲＴ駆動回路３８またはモニタＣＲＴ駆動回路３９に選択的に送られる。即ち、本プリントモードまたはテストプリントモードの時に、第２セレクタ３７は、露光用ＣＲＴ駆動回路３８に３色の濃度信号を順次送り、３色面順次露光を行う。又、第２のセレクタ３７は、主要部指定表示モードまたはテストプリント表示モードの時に、各色の濃度信号をモニタＣＲＴ駆動回路３９に送り、モニタＣＲＴ２６に各モードのカラー画像を表示する。」（第２頁下右欄第７行〜第３頁上右欄第９行）
　
（１のエ）「次に第２図を参照して本実施例の作用を説明する。先ず、キーボード２８を操作して、主要部指定表示モードにする。これにより、画像入力部１７からテスト焼き対象の全体画像を入力して、この３色の画像信号を色毎に設けられた各画像処理部１８〜２０に送り、ここでガンマ補正回路２２及びマトリックス演算回路２３によりガンマ補正及び彩度補正を行う。この補正後の濃度信号はフレームメモリ２４に書き込まれる。
　第１セレクタ３０は、主要部指定表示モードへの切換えにより、補正用ＬＵＴ３１に濃度信号を送るように切り換えられるため、フレームメモリ２４に書き込まれた濃度信号は補正用ＬＵＴ３１に書き込まれている標準テーブルデータでデータ変換される。次に、このデータ変換された濃度信号は、Ｄ／Ａ変換器３６でアナログ信号に変換され、第２セレクタ３７に送られる。第２セレクタ３７は、主要部指定表示モードの時には、各画像処理部１８〜２０の濃度信号をモニタＣＲＴ駆動回路３９に送るように切り換えられている。これにより、画像入力部１７で入力された全体画像は、第３図に示されるようにモニタＣＲＴ２６に表示される。この状態で、キーボード２８を操作して、主要部の中心位置及び矩形領域を指定する。このキーボード操作に連動してわく表示回路２９が作動して、モニタＣＲＴ２６の表示画面Ａに主要部領域Ｂが枠Ｃで囲まれて表示される、従って、この枠Ｃを見ながら、主要部領域Ｂのサイズ及びその位置を変更することもできる。
　主要部領域Ｂの指定が終了すると、キーボード２８を操作してテストプリント表示モードに切り換える。このテストプリント表示モードでは、指定された主要部領域Ｂ内の濃度信号のみを第１セレクタ３０に送り出すようにされ、且つ第１セレクタ３０が駒補正用ＬＵＴ３２に濃度信号を送るように切り換えられる。駒補正用ＬＵＴ３２の各ページには、ステップ的に変化させたテーブルデータが書き込まれているため、各補正駒の作成時にページを切り換えながら主要部領域Ｂの濃度信号を変換する。この各補正駒の濃度信号は、駒補正書込み回路３４を介して、マトリックス状に区画されたフレームメモリ３５の各エリアに順次書き込まれる。これにより、各補正駒の嵌め込み合成が行われる。なお、主要部領域Ｂのサイズを標準サイズよりも大きく指定した場合には、主要部領域Ｂを縮小して標準サイズになるように調節し、また、小さく指定した場合にはこれを拡大して標準サイズになるように調節している。従って、最終的には、第４図に示されるように、ステップ的に濃度及び色補正された９個の補正駒Ｄ１〜Ｄ９が駒番号Ｅを付けられてモニタＣＲＴ２６に表示される。なお、本実施例においては、表示画面中央部に位置する第５の補正駒Ｄ５は、標準的なＬＵＴデータで補正した画像を表示するようにして、各補正駒Ｄ１〜Ｄ９の対比を容易に行うことができるようにしている。
　このモニタＣＲＴ２６の表示画面を確認後、この表示画像をプリントしたテストプリントが得たい場合には、、テストプリントモードを選択する。このテストプリントモードでは、第２セレクタ３７が露光用ＣＲＴ駆動回路３８側に濃度信号を出力するように切り換えられるため、各画像処理部１８〜２０の濃度信号が露光用ＣＲＴ駆動回路３８に順次送られ、露光用ＣＲＴ１０に各色に対応した単色画像が表示される。このとき、この単色画像の表示に連動して、対応するフイルタ１１〜１３の何れかが焼付光路内に挿入され、また、シャッタが所定時間だけ開いて、所定の露光量で、３色面順次露光が行われる。これにより、テストプリントが行われる。
　テストプリント後は、キーボード２８を操作して本プリントモードに切り換え、テストプリント結果から適正な補正量の補正駒Ｄ１〜Ｄ９を探して、この補正駒の駒番号Ｅの入力により、全体画像補正用ＬＵＴ３１のテーブルデータは、指定された駒番号Ｅの補正駒で用いられた補正量のテーブルデータに書き換えられる。この本プリントモードでは、フレームメモリ２４の全体画像の濃度信号が読み出され、この読み出された濃度信号は第１セレクタ３０を介して補正用ＬＵＴ３１で濃度・色補正が行われる。この適正に補正された濃度信号は、Ｄ／Ａ変換器３６を介して第セレクタ３７に送られる。第２セレクタ３７は、本プリントモードでは、画像処理部１８〜２０の濃度信号を露光用ＣＲＴ駆動回路３８に順次送るため、露光用ＣＲＴ１０に各色に対応した単色画像が表示されて、前述したような３色面順次露光が行われる。
　なお、テストプリント表示モードの時に適正な補正量の駒が見つかり、テストプリントをする必要がない時には、このテストプリント工程を省略することができる。この場合には、本プリントモードにして、適正な補正量の駒番号を入力する。以下、前述したように、指定された補正駒の補正量を用いて全体画像がプリントされる。
　また、上記実施例に於いて、テストプリント結果、またはモニタＣＲＴのテストプリント表示画像を参照して、適正な補正駒を選択し、この補正駒で用いた補正量により全体画像の濃度信号を補正して直ちに本プリントを行うようにしたが、本発明はこれに限定されることなく、本プリント前に補正駒で用いた補正量により補正された全体画像をモニタＣＲＴに表示し、これを全体的に確認した後に、本プリントを行ったり、再度補正量を変えてテストプリントを行うようにしてもよい。
」（第３頁下左欄第１行〜第４頁下右欄第８行）
　
（引用例２）
　同じく、原審の拒絶の理由で引用した　特開平４−１５０５６５号公報（平成４年５月２５日出願公開）（以下、「引用例２」という。）には、図面と共に次の各記載がある。
　
（２のア）「［発明の解決しようとする課題］
　かかる装置では、例えば色バランスを調整したのち、シャープネスを調整して、所望の画質を有する画像が得られた場合、通常何枚か試しどりをしながら行う為に無駄コピーや余計な時間が発生する。操作者が、この後機械から離れてしばらくして後、再び同機の画質を得たい場合、その間に他の者が設定を変えていたり、自動的に初期設定に戻っていたりして、再度同じ調整手順を踏むことになり、コストと時間の浪費を重ねてしまう。これを防止しようとすると各調整後に設定をメモするなどして記録すれば良いが、操作が複雑になれば内容も増えるし、いちいち行うのは非常に煩雑である。最近では、ある時の設定を内部メモリに記憶する“メモリーキー”機能を有するものもあるがキーの数が限られており、登録できる数が限られてしまうし、キーを増やすと操作部上にキーがいたずらに増えて、かえって煩雑になってしまうという欠点があった。
　本発明はかかる点に鑑みてカラー画質に対する複雑な処理方法を簡単に設定できる様にしたカラー画像処理装置を提供することを目的とする。
［課題を解決するための手段］
　本発明は、上述の課題を解決するため、与えられたカラー画像データに対して処理を行う処理手段、前記処理手段の処理パラメータが固有名とともに複数記憶可能な記憶手段、前記記憶手段から登録された処理パラメータを検索する手段とを有する。」（第１頁下右欄第１９〜第２頁上右欄第６行）
　
（２のイ）「次に、これまで説明してきた任意形状の領域に対しての所望の画像の状態、例えば色味、濃度、或いは画像の雰囲気を指定し、操作する方法について述べる。第１１図は本発明を実施する操作部の一例を示したものである。９６は色材のバランスを調整するキー及び表示部であり、数値表示５が中心値である。従ってＭ，Ｃ，Ｙ，Ｋが５，４，６，３の設定になっているとすると、第１２図で示される様な特性を有する直線データを第５図（ａ）で示す濃度変換ＲＡＭ７４に格納する。本プリンターはＭ→Ｃ→Ｙ→Ｋの順に面順次で画像形成するので第１３図のタイミング図で示す様に、各画像出力以外の時間ＴＭ、ＴＣ、ＴＹ、ＴＫの間でＬＵＴ７４を書きかえる事により、各色で変換特性を変えて色バランスを調整する。これに対し、キー９８、キー９９はエフェクト調整キー及びエフェクト登録キーであり、色や画像の雰囲気に対することば、例えばタッチパネル表示画面９７で表示される様な「あおっぽく」とか「あきらしく」「あざやかに」などの人間の間隔をあらわす“ことば”での調整をワンタッチで行ったり、色バランスやシャープネス度、色味などの調整後、その結果得られる雰囲気を感覚的な“ことば”として登録し、それ以後は登録された文字列を入力する事で同様の効果が得られる様にする為のキーである。通常は表示パネル画面には複写の枚数や変倍率設定などが表示されるが、本発明の説明要旨ではないので省略する。さて、例えば第１３図の様にＹ，Ｋ（イエロー、ブラック）はカラーバランスを５、Ｍを６、Ｃを７に設定した時に“あおっぽく”感じられる画像が得られたとする。その時、後述する様な方法でエフェクト登録すると、以後は登録された“あおっぽく”を文字入力により指定するだけで、処理パラメータが自動的に設定される。次に例えば４つの任意形状の領域に対して、第５図（ｂ）で示す様にマゼンタ色に関し領域１は硬調に、領域２はハイライト強調、領域３はシャドー強調という設定をするに際し、カラーバランスを３に設定し、やや薄めの調整をすると第１４図の様に３の設定（直線Ｑ'）を基準として各トーンの調子を調整できるので、それまでの調整の変更や改善といった再調整に際しても変更分だけの操作で調整ができる。」（第５頁下右欄第１３行〜第６頁上右欄第１５行）
　
（２のウ）「次に第１５図〜第１６図に従ってエフェクト登録、エフェクト指定の方法について述べる。エフェクト登録はエフェクト登録キー９９によって行う。ユーザが行った調整、例えばシャープネスを強めにし（第４図（ｂ）図示のｋ、ｌを変える）、下色除去とスミ入れの量を多めにして（第３図（ａ），（ｂ）の特性をＩＶにする）、画像の感じがくっきりした感じになった場合、その状態のままエフェクト登録キー９９を押下すると第１５図（ａ）の様にタッチパネル上の画面が変る。次に第１５図（ｂ）の様にエディター上の一部に設けられた文字入力エリアより、所望の文字を選び、この場合“く”“っ”“き”“り”“と”と入力してのち“登録”の位置をタッチする事により、下色除去、スミ入れ量、エッジ量の各パラメータが内部メモリに登録される。第１５図（ｃ）はメモリ内容を示すもので、前述の“くっきりと”の調整のパラメータが示されておりＵＣＲ特性はＭ，Ｃ，Ｙ，Ｋいずれも“ＩＶ”、スミ量特性“ＩＶ”カラーバランス特性はＭ，Ｃ，Ｙ，Ｋ＝“５”、エッジパラメータはｋ＝５，ｌ＝１４で、これは１／４をあらわしている。従って次に説明する様に、以後“くっきりと”というエフェクト指定が行われると第１５図（ｃ）のパラメータが、指定された領域の対応する前述してきた処理回路内の所定レジスタに設定される。
　第１６図はエフェクト指定をする操作手順を示す操作パネル上の表示を示したものである。
　エフェクト指定にはまず、エフェクトキー９８を押下するとＳ１の画面にかわり、領域の指定が有るかないかを指定する。有る場合は矩形又は非矩形を指定する。この場合、例えば非矩形指定なので画面がＳ２に変り、この状態で第１６図（ｂ）のごとく画像上の所望の非矩形図形上をエデイターペンでなぞると、前述した様に該当するエリア用マスクプレーンメモリに所定のアドレス演算が行われた後、データが書き込まれていく。領域指定後は、“ＯＫ”部分をタッチする事により画面はＳ３に移る。ここでは“くっきり”とした感じを指定したいので、エデイターペンにて“くっきり”を入力し“ＯＫ”をタッチする。“ＯＫ”キーのタッチを、前述のＣＰＵが検知すると“くっきり”をキーワードにして選択する“エフェクト”を検索する。この場合“くっきり”から“くっきりと”が検索されエフェクトとしては“くっきりと”が選択される。“くっきりと”の同義語“くっきりに”“せんめいに（鮮明）”“せんめい”などの文字列が入力された場合も“くっきりと”が選択される様になっている。従って画面Ｓ４では選択されたエフェクト“くっきりと”を表示し、操作が再び“ＯＫ”キーで確認すると画面Ｓ５に移り、ここでは“くっきりと”の程度を調整する様になっている。本例ではくっきりととはシャープネスの度合い、従って前述に係数ｋ，ｌの値を書き替える事で多段階に切り替えられる様になっている。これは例えば第１７図で示す様に、メモリ内にアドレスＡＤ０〜ＡＤ６３にｋｎ＞ｋｎ＋１，ｌｎ＞ｌｎ＋１である様に各パラメータセットが６４通り格納されている。第１６図（ａ）での画面Ｓ６における調整をする直前におけるシャープネスの度合いが係数ｋ，ｌで（ｋｎ，ｌｎ）になっていたとするとＳ５における１，２，…９におけるｋ，ｌは各々（ｋｎ−４，ｌｎ−４）（ｋｎ−３，ｌｎ−３）…（ｋｎ，ｌｎ）…（ｋｎ＋４，ｌｎ＋４）と対応する様に設定される。従って例えばくっきりとの調整で“７”を選択すると（ｋｎ＋１，ｌｎ＋１）が第４図（ｂ）のレジスタ７１，６９にセットされる。これにより調整設定する直前の状態を基準にしてして、より“くっきりと”という間隔で調整ができる様になっている。前記、検索の為の記憶手段は第１図のＲＡＭ２１内に設けられ、電池等により不揮発性が保たれる為、電源断によって内容が消滅することはない。」（第６頁上右欄第１６行〜第７頁上右欄第５行）
　　　
３．対比
　本願発明と引用例１に記載された発明とを対比するに、
　引用例１に記載された発明の「画像入力部１７及び全体画像のうちの主要部を指定する手段」、「カラーペーパー１６」、および「９個の補正駒Ｄ１〜Ｄ９」は、本願発明の「画像を入力する入力手段」、「媒体」、および「複数の領域」にそれぞれ相当することは明かである。
　引用例１には、画像入力部１７からテスト焼き対象の全体画像を入力し、これにガンマ補正及び彩度補正を施し、補正後の全体画像をフレームメモリ２４に書込み、次に主要部指定モードに切り換えフレームメモリ２４に書き込まれた全体画像の濃度信号を、補正用ＬＵＴ９１に書き込まれている標準テーブルデータでデータ変換した後該データ変換された濃度信号をアナログ信号に変換してモニタＣＲＴ２６に表示し、この状況でキーボード２８を操作して全体画像の中の主要部の中心位置及び矩形領域を指定し、指定された主要部領域Ｂに枠Ｃを付けると共に主要部領域Ｂのサイズ及びその位置を調整し、該主要部領域Ｂの指定が終了したらテストプリントモードに切り換え、指定された主要部Ｂを小サイズの補正駒Ｄ１〜Ｄ９とし、これらの補正駒Ｄ１〜Ｄ９に対してそれぞれ異なった色及び濃度補正をステップ的に施し、これらの補正駒Ｄ１〜Ｄ９を並べた状態でカラーペーパー１６にテストプリントし、得られたハードコピィから仕上がりが最適な補正駒の駒番号を入力することでプリント条件を補正し、このプリント条件で全体画像をプリントすることが記載されている（前記（１のア）〜（１のエ）参照。）から、引用例１に記載された発明は、複数の補正駒Ｄ１〜Ｄ９（複数の領域）の画像それぞれに対して予め設定された画質に対するパラメータを設定するための設定手段、該設定手段での設定に基づいて前記複数の補正駒Ｄ１〜Ｄ９（複数の領域）の画像それぞれに対して画質調整を施す調整手段、および該調整手段で画質調整された複数の補正駒Ｄ１〜Ｄ９（複数の領域）の画像を同一カラーペーパー１６（同一媒体）上に出力する出力手段とを有するものである。　
　以上のことから、本願発明と引用例１に記載された発明とは、
　「画像を入力する入力手段と、
　前記入力手段で入力された画像を同一媒体上の複数の領域に出力する際に、前記複数の領域の画像それぞれに対して予め設定された画質に対するパラメータを設定するための設定手段と、
　前記設定手段での設定に基づいて前記複数の領域の画像それぞれに対して画質調整を施す調整手段と、
　前記調整手段で画質調整された複数の領域の画像を同一媒体上に出力する出力手段とを有することを特徴とするカラー画像処理装置。」
である点で一致し、次の点で相違する。
　
（相違点）、
　本願発明の設定手段が、「複数の領域の画像それぞれに対して予め設定された画質に対するパラメータをユーザが所望の画質に微調して設定しているのに対して、
　引用例１には、「本発明はこれに限定されることなく、本プリント前に補正駒で用いた補正量により補正された全体画像をモニタＣＲＴに表示し、これを全体的に確認した後に、本プリントを行ったり、再度補正量を変えてテストプリントを行うようにしてもよい。」（前記（１のエ）参照。）との記載はあるものの、複数の補正駒Ｄ１〜Ｄ９（複数の領域）の画像それぞれに対して予め設定された画質に対するパラメータをユーザが所望の画質に微調するとの明記がない点。
　
４．当審の判断
　前記相違点について判断するに、引用例２には、複数の領域の画像それぞれに対して予め設定された画質に対するパラメータをユーザが所望の画質に微調することが記載されており（前記（２のア）〜（２のウ）、特に（２のウ）のエフェクト指定の項を参照。）、この微調手段を引用例１に記載された発明に転用することは、当業者が適宜なし得ることである。
　
５．むすび
　以上のとおり、本願発明は、引用例１及び２に記載された発明に基いて当業者が容易に発明をすることができたものであるから、特許法第２９条第２項の規定により特許を受けることができない。
　よって、結論のとおり審決する。